(57)【要約】      （修正有）【課題】高粘度の液体のような収容物を収容した後、ヘラのようなものを用いて、容易かつ迅速に残留物を内面から掻き落とすことができる容器を提供する。【解決手段】収容物を収容する有底無蓋の容器であって、収容物９１を収容する上部が開放された収容空間８１と、収容空間の上縁の一部を構成し、線分である堰基準線分に略沿った堰部６２ｔと、を備えてなり、堰基準線分に垂直に交わる平面である導線面に存在し、一端が堰基準線分に存する導線が、導線面に対して垂直に移動することで描かれる柱面に沿って、収容空間の底面の最低位置２１ｓ１から堰部６２ｔまでが形成されており、底面の最低位置から堰部までを規定する導線が、該一端から該最低位置を規定する部分に向かって単調降下する単調降下部分によって又は水平部分と単調降下部分とによって連続して滑らかに形成されている。【選択図】図４
0003207672.tif 000002
【実用新案登録請求の範囲】
【請求項１】
収容物を収容する有底無蓋の容器であって、
収容物を収容する上部が開放された収容空間と、
収容空間の上縁の一部を構成し、線分である堰基準線分に略沿った堰部と、を備えてなり、
堰基準線分に垂直に交わる平面である導線面に存在し、一端が堰基準線分に存する導線が、導線面に対して垂直に移動することで描かれる柱面に沿って、収容空間の底面の最低位置から堰部までが形成されており、
底面の最低位置から堰部までを規定する導線が、該一端から該最低位置を規定する部分に向かって単調降下する単調降下部分によって又は水平である水平部分と単調降下部分とによって形成されると共に滑らかなものである、容器。
【請求項２】
水平面に対し所定角度をなす平面である載置平面に、収容空間の上縁のうち堰部が載置平面の高い側に存するように載置された載置状態において、堰基準線分が略水平になるものである、請求項１に記載の容器。
【請求項３】
収容空間の上縁のいずれの部分も堰部以上の高さである、請求項２に記載の容器。
【請求項４】
収容空間が、堰基準線分の一端を含み堰基準線分に垂直な一方平面に沿った一方壁面と、堰基準線分の他端を含み堰基準線分に垂直な他方平面に沿った他方壁面と、の間に形成されるものである、請求項１乃至３のいずれか１に記載の容器。
【請求項５】
導線が、下に凸の曲線の部分により形成されるか又は下に凸の曲線の部分と線分とによって形成されるものである、請求項１乃至４のいずれか１に記載の容器。
【請求項６】
前記曲線の部分が円弧である、請求項５に記載の容器。
【請求項７】
導線が、前記最低位置を通過する線分である下部線分部分と、下部線分部分の堰部に近い端部に一端が連なる前記曲線の部分と、を含んでなるものである、請求項５又は６に記載の容器。
【請求項８】
導線が、前記曲線の部分の他端に一端が連なり、他端が堰基準線分に存する上部線分部分を含んでなるものである、請求項７に記載の容器。
【請求項９】
収容空間の底面を上面によって構成する底板と、
前記容器の堰部とは反対側において底板よりも下方に突出し、指先を係合可能な指掛け部と、を有するものである、請求項１乃至８のいずれか１に記載の容器。
【請求項１０】
内面に底板の一縁が取り付けられ、該内面が収容空間を規定する後方板状部材を有してなり、
指掛け部が、底板の下面よりも下方に存する後方板状部材の部分により構成されるものである、請求項９に記載の容器。
【請求項１１】
内面に底板の縁部が取り付けられ、互いの内面の間に収容空間が形成される一対の第１板状部材及び第２板状部材を有してなり、
第１板状部材の下縁及び第２板状部材の下縁が、水平面に対し所定角度をなす平面である載置平面に当接するものである、請求項１乃至１０のいずれか１に記載の容器。
【請求項１２】
互いの内面の間に収容空間が形成される一対の第３板状部材及び第４板状部材を有してなり、
第１板状部材、第２板状部材、第３板状部材、第４板状部材及び底板により、前記有底無蓋の容器が形成され、第３板状部材の下縁及び第４板状部材の下縁が、載置平面に当接するものである、請求項１１に記載の容器。
【考案の詳細な説明】
【技術分野】
【０００１】
本考案は、容器に関し、より詳細には、容器に収容される収容物が接触する容器の内面に付着した収容物（例えば、しっくいスラリーやコンクリートスラリー等のような高粘度の液体）をヘラ等で容易かつ迅速に該内面から掻き落とすことができる容器に関する。
【背景技術】
【０００２】
収容した収容物を、残留物が少なくなるように容易に取り出すことができる容器は、様々なものが提案されてきた（例えば、特許文献１参照）。
特許文献１には、「バケツの底部に残り易い残留物を解消して、収容物をバケツ外にスムーズに排出できるようにする」（特許文献１、発明の詳細な説明中の段落番号０００３）ためになされたもので、具体的には「合成樹脂製の成形体からなるバケツであって、胴部の下部内周面をアール面に成形し、このアール面に続く底面を凹面に形成して、バケツを傾けたときに、上記底部の凹面とアール面とを介してコンクリートのように残留し易い収容物を残さずに排出できるようにしたことを特徴とする合成樹脂製バケツ」（特許文献１、発明の詳細な説明中の段落番号０００４）というものであり、それによって「上記のように胴部内周面下部と底部の外周縁との接続部分をアールの連続面に形成して角張らせないように構成した本発明バケツは、バケツを傾けると底部に具えた凹面部分に収容物が誘導されて傾けた方の底部に集められる。そして、底部の一隅に集められた収容物は、上記凹面部分から胴部の下部内周面に形成されているアール面にスムーズに移乗し、バケツの傾きと共に胴部内周面を経てバケツ外に排出される。」（特許文献１、発明の詳細な説明中の段落番号０００５）という効果を奏するものが開示されている。
【０００３】
また、本考案者は、「水平面に対してなす角度が異なる２の載置面（上記の第１の載置面及び第２の載置面）のいずれにも安定して載置できるバケツ等のような容器を提供する」（特許文献２、考案の詳細な説明中の段落番号０００４後段）ために「収容物を収容する収容空間を有する容器本体と、容器本体に対し相対的に変位する変位支持部と、を備えてなり、載置面に載置される容器であって、水平面に対して第１の角度をなす第１の載置面に載置された場合に第１の載置面に当接し容器本体を鉛直方向に対して所定の角度をなすように支持する容器本体の外面の一部を含む第１の当接部と、水平面に対して第１の角度とは異なる第２の角度をなす第２の載置面に載置された場合に第２の載置面に当接し容器本体を鉛直方向に対して該所定の角度を略なすように支持する、所定の位置に変位した変位支持部の外面の一部を含む第２の当接部と、を有してなる、容器。」（特許文献２、請求項１）を考案し、本出願人が実用新案登録をなしている。
【先行技術文献】
【特許文献】
【０００４】
【特許文献１】特開２００３−２３６８２５号公報（例えば、要約、段落番号０００１〜０００５、第１図、第２図等）
【特許文献２】実用新案登録第３１９７１５３号公報（例えば、要約、段落番号０００１〜０００６、第１図、第３図等）
【考案の概要】
【考案が解決しようとする課題】
【０００５】
確かに、特許文献１に開示されたバケツは、上述の如く、「バケツを傾けると底部に具えた凹面部分に収容物が誘導されて傾けた方の底部に集められる。そして、底部の一隅に集められた収容物は、上記凹面部分から胴部の下部内周面に形成されているアール面にスムーズに移乗し、バケツの傾きと共に胴部内周面を経てバケツ外に排出される」（特許文献１、発明の詳細な説明中の段落番号０００５）ことにより、バケツの底部に残り易い残留物を解消し収容物をバケツ外にスムーズに排出できるとされているが、高粘度の液体（例えば、しっくいスラリーやコンクリートスラリー等）のような収容物を収容すると、バケツを傾けて収容物を排出しても、バケツ胴部の内周面に収容物が厚く付着し多量の残留物を生じてしまう。かかるバケツ胴部の内周面に付着した残留物を取り出すには、通常、ヘラのようなものを用いて、残留物を内周面から掻き落とす作業を要する。残留物をできる限り少量にするためには、該掻き落とし作業においてヘラの先端縁が内周面にうまく当接するようヘラの方向を様々に変えながらヘラの先端縁を内周面にうまく摺動させる必要があり、該掻き落とし作業は時間がかかると共に難儀なものであった。
また、特許文献２の容器においても、高粘度の液体（例えば、しっくいスラリーやコンクリートスラリー等）のような収容物を収容すると、容器内面に収容物が厚く付着し多量の残留物を生じ、残留物を内面から掻き落とす作業は時間がかかると共に難儀なものであった。
そこで、本考案では、高粘度の液体（例えば、しっくいスラリーやコンクリートスラリー等）のような収容物を収容した後、ヘラのようなものを用いて、容易かつ迅速に残留物を内面から掻き落とすことができる容器を提供することを目的とする。
【課題を解決するための手段】
【０００６】
本考案の容器（以下、「本容器」という。）は、収容物を収容する有底無蓋の容器であって、収容物を収容する上部が開放された収容空間と、収容空間の上縁の一部を構成し、線分である堰基準線分に略沿った堰部と、を備えてなり、堰基準線分に垂直に交わる平面である導線面に存在し、一端が堰基準線分に存する導線が、導線面に対して垂直に移動することで描かれる柱面に沿って、収容空間の底面の最低位置から堰部までが形成されており、底面の最低位置から堰部までを規定する導線が、該一端から該最低位置を規定する部分に向かって単調降下する単調降下部分によって又は水平である水平部分と単調降下部分とによって形成されると共に滑らかなものである、容器である。
【０００７】
本容器は、収容物を収容する有底無蓋の容器である。本容器は、収容空間と、収容空間の上縁の一部を構成する堰部と、を備えてなる。収容空間は、上部が開放されており、収容物を収容するための空間である。堰部は、線分である堰基準線分に略沿って形成される。
本容器の収容空間の底面の最低位置（例えば、水平面に対し所定角度をなす平面である載置平面に本容器を載置した状態における底面の最低位置）から堰部までは、次に説明する柱面に沿って形成される。該柱面は、導線面に存在する導線が導線面に対して垂直に移動することで描かれるものである。そして、導線面は堰基準線分に垂直に交わる平面であり、そして導線の一端は堰基準線分に存在する（導線の該一端は、堰基準線分と導線面との交点に一致する。）。
そして、底面の最低位置から堰部までを規定する導線は、堰基準線分に存在する該一端から底面の該最低位置を規定する部分に向かって単調降下する単調降下部分によって形成されるか、又は水平である水平部分と単調降下部分とによって形成される（即ち、堰基準線分に存在する該一端から底面の該最低位置を規定する部分に向かって、上昇する部分を含まない。）。さらに、底面の最低位置から堰部までを規定する導線が、滑らかである（底面の最低位置から堰部までを規定する導線が、いずれの点でも微分可能である。）。
このような底面の最低位置から堰部までを規定する導線が、底面の該最低位置から堰部に向かって単調上昇する単調上昇部分によって形成されるか、又は水平である水平部分と単調上昇部分とによって形成されると共に、滑らかであることにより、該導線により規定される柱面（導線が導線面に対して垂直に移動することで柱面が描かれる。）に沿った底面が、底面の最低位置から堰部に至るまで降下する部分を有さずかつ滑らかであることから、堰部から収容物を流出させた際に残留物が生じにくく（収容物を堰部から取り出す際、底面に降下する部分が存すると、そこに収容物が残留しやすいし、底面に滑らかでなく角部等が存すると、そこに収容物が残留しやすい。）、さらに生じた残留物をヘラのようなものを用いて容易かつ迅速に底面から掻き落として堰部から取り出すことができる（通常、ヘラは、線分に沿った先端を有し、該先端を掻き落とす面に摺動させるので、該先端が沿った線分が堰基準線分に略平行な状態で該先端を底面に当接させ、該先端を導線に沿って堰部に向かって移動させれば、ヘラの該先端が底面をむらなく摺動し、底面に付着した収容物（残留物）を容易かつ迅速に掻き落とし堰部から取り出すことができる。）。従って、本容器は、高粘度の液体（例えば、しっくいスラリーやコンクリートスラリー等）のような収容物を収容（例えば、収容空間の開放された上部から収容物を注入又は投入等することで収容物を収容空間に収容すればよい）した後、収容物が付着残留しやすい底面を該最低位置から堰部に向かってヘラで掻き落とすことで、容易かつ迅速に残留物を堰部から取り出すことができる（なお、収容物の本容器からの取り出しは、本容器内の収容物の量が多い状態のときには、収容空間の開放された上部から、すくい出すようにすることもできる。本容器内の収容物の量が少なくなった状態では、上述のように、底面に付着した残留物をヘラ等で掻き落として取り出すことができる。）。
【０００８】
本容器は、水平面に対し所定角度をなす平面である載置平面に、収容空間の上縁のうち堰部が載置平面の高い側に存するように載置された載置状態において、堰基準線分が略水平になるもの（以下、「堰水平本容器」という。）であってもよい。
水平面に対し所定角度をなす平面である載置平面に載置することができると共に、ヘラのようなものを用いて、容易かつ迅速に残留物を内面から掻き落とすことができる容器については、従来から要望が多かった。例えば、傾斜した屋根面において、しっくい（漆喰）やセメント等のスラリーを用いた屋根工事を行う場合、該スラリーを収容する容器の容器内面に該スラリーが付着しやすいことから、ヘラのようなものを用いて容易かつ迅速に残留物を内面から掻き落としたいことに加え、該スラリーを収容する容器は傾斜屋根面（載置平面）に載置する必要がある。
通常の屋根面は水平面に対して１５度〜２０度の傾斜を有するので、水平面に対し載置平面がなす所定角度は、好ましくは５度以上、より好ましくは１０度以上、最も好ましくは１５度以上、そして好ましくは３０度以下、より好ましくは２５度以下、最も好ましくは２０度以下である。
収容空間の上縁のうち堰部が載置平面の高い側に存するように本容器が載置平面に載置された載置状態において、堰基準線分が略水平になることにより（堰部が略水平となる）、収容物が堰部から不意に流出することがなく、収容物を安定して収容することができる。
【０００９】
堰水平本容器の場合、収容空間の上縁のいずれの部分も堰部以上の高さであってもよい。
載置状態において収容空間の上縁のいずれの部分も堰部以上の高さになる（該上縁のうち堰部を除く残部のいずれの部分も、堰部の高さ以上の高さに存する。）ことで、該上縁のうち堰部を除く残部のいずれの部分からも、収容物が不意に流出することがなく、収容物を安定して収容することができる。
【００１０】
本容器においては、収容空間が、堰基準線分の一端を含み堰基準線分に垂直な一方平面に沿った一方壁面と、堰基準線分の他端を含み堰基準線分に垂直な他方平面に沿った他方壁面と、の間に形成されるものであってもよい。
こうすることで、収容空間が、一方壁面と他方壁面との間に形成されるので、収容空間に収容された収容物が、収容空間の底面を流動し堰部から流出する際、幅（堰基準線分と平行方向の寸法をいう）の変化がなく（該底面の幅と堰部の幅とのいずれも堰基準線分の長さと同じ）、円滑かつ迅速に流出することができ、残留物が生じにくい。さらに生じた残留物をヘラのようなものを用いて底面から掻き出す際も、ヘラを堰部方向にまっすぐ移動させるのみで、堰基準線分と平行方向には移動させる必要がなく、容易かつ迅速に堰部から掻き出すことができる。
【００１１】
本容器においては、導線が、下に凸の曲線の部分により形成されるか又は下に凸の曲線の部分と線分とによって形成されるもの（以下、「導線下凸曲線本容器」という。）であってもよい。
載置状態における本容器において、導線が、下に凸の曲線の部分を含むことで、導線が導線面に対して垂直に移動して形成される柱面（載置状態において収容空間の底面の最低位置から堰部までが沿う）も下に凸となり、底面に付着した残留物をこの下に凸の柱面からヘラのようなものを用いてうまく掻き落とすことができる（上に凸の部分は、それに沿ってヘラ等を摺動させにくい。）。
なお、この導線は、下に凸の曲線の部分のみで形成されても良いし、又は下に凸の曲線の部分と線分との両方によって形成されてもよい。
【００１２】
導線下凸曲線本容器の場合、前記曲線の部分が円弧であってもよい。
こうすることで、導線が、下に凸の円弧の部分を含むことで、導線が導線面に対して垂直に移動して形成される柱面（載置状態において収容空間の底面の最低位置から堰部までが沿う）が直円柱の側面に沿った下に凸の形状となり、底面に付着した残留物を曲率が一定（ヘラ等を摺動させやすい）の底面であるためヘラのようなものを用いてうまく掻き落とすことができる。
【００１３】
導線下凸曲線本容器の場合、導線が、前記最低位置を通過する線分である下部線分部分と、下部線分部分の堰部に近い端部に一端が連なる前記曲線の部分と、を含んでなるもの（以下、「下部線分部分本容器」という。）であってもよい。
こうすることで底面の最低位置を規定する導線の部分が、線分（下部線分部分）により形成されることから、底面の最低位置が平面に沿ったもの（平ら）となり、収容物が集まりやすい底面を収容物が流動し堰部に向かいやすくかつ底面の最低位置に付着した残留物を平らな底面からヘラのようなものを用いてうまく掻き落とすことができる。また、下部線分部分の堰部に近い端部に一端が連なる前記曲線の部分を導線が含むことで、上述の通り、前記曲線の部分が導線面に対して垂直に移動して形成される柱面も下に凸となり、これに付着した残留物をこの下に凸の柱面からヘラのようなものを用いてうまく掻き落とすことができる。
【００１４】
下部線分部分本容器の場合、導線が、前記曲線の部分の他端に一端が連なり、他端が堰基準線分に存する上部線分部分を含んでなるものであってもよい。
前記曲線の部分の他端（下部線分部分に連なる端部とは反対の端部）と、堰基準線分と導線面との交点と、を連結する上部線分部分を導線が含むことにより、前記曲線の部分が規定する前記柱面から堰部との間を平面に沿ったものとすることで、収容物が堰部に円滑に移動できる。
【００１５】
本容器においては、収容空間の底面を上面によって構成する底板と、前記容器の堰部とは反対側において底板よりも下方に突出し、指先を係合可能な指掛け部と、を有するもの（以下、「指掛け部本容器」という。）であってもよい。
こうすることで、収容空間の底面に沿って収容物を流動させ堰部から流出させる際（ヘラのようなものを用いて収容物を底面から掻き落としつつ堰部から流出させるときを含む）、指掛け部に本容器の使用者の指先を係合させることで、本容器の堰部が下方に存するように傾斜させて本容器を容易に支持することができるので、収容物を堰部から容易に流出させることができる。指掛け部は、収容空間の底面を上面によって構成する底板よりも下方に後方（堰部方向を前方とし、それとは反対側を後方とする）にて突出することで、これに指をかけて本容器を支持すれば、堰部が下方になるように傾斜させうまく支持することができる。
【００１６】
指掛け部本容器においては、内面に底板の一縁が取り付けられ、該内面が収容空間を規定する後方板状部材を有してなり、指掛け部が、底板の下面よりも下方に存する後方板状部材の部分により構成されるものであってもよい。
こうすることで、収容空間を規定する内面に底板の一縁が取り付けられる後方板状部材のうち、底板の下面よりも下方に存する部分によって指掛け部が構成されるので、指掛け部を容易に形成することができる。
【００１７】
本容器においては、内面に底板の縁部が取り付けられ、互いの内面の間に収容空間が形成される一対の第１板状部材及び第２板状部材を有してなり、第１板状部材の下縁及び第２板状部材の下縁が、水平面に対し所定角度をなす平面である載置平面に当接するもの（以下、「両板状部材本容器」という。）であってもよい。
こうすることで一対の第１板状部材及び第２板状部材を有し、第１板状部材の内面に底板の縁部が取り付けられ、第２板状部材の内面に底板の縁部が取り付けられ、これら第１板状部材の内面と第２板状部材の内面との間に収容空間が形成される。そして収容空間の両側に存する第１板状部材の下縁及び第２板状部材の下縁が、載置平面（水平面に対し所定角度をなす平面）に当接するので、本容器を載置平面に安定して載置できる。
【００１８】
両板状部材本容器の場合、互いの内面の間に収容空間が形成される一対の第３板状部材及び第４板状部材を有してなり、第１板状部材、第２板状部材、第３板状部材、第４板状部材及び底板により、前記有底無蓋の容器が形成され、第３板状部材の下縁及び第４板状部材の下縁が、載置平面に当接するものであってもよい。
こうすることで一対の第３板状部材及び第４板状部材を有し、これら第３板状部材の内面と第４板状部材の内面との間に収容空間が形成される。そして、第１板状部材、第２板状部材、第３板状部材、第４板状部材及び底板により、前記有底無蓋の本容器が形成され、第３板状部材の下縁及び第４板状部材の下縁が、載置平面に当接するので、収容空間の両側に存する第１板状部材の下縁及び第２板状部材の下縁と、収容空間の両側に存する第３板状部材の下縁及び第４板状部材の下縁と、が載置平面（水平面に対し所定角度をなす平面）に当接するので、本容器を載置平面にさらに安定して載置できる。
【図面の簡単な説明】
【００１９】
【図１】本考案に係る容器（本容器）の一実施形態であるしっくい容器の平面図である。
【図２】図１に示したしっくい容器の正面図である。
【図３】図１のＢ−Ｂ断面図である。
【図４】しっくい容器の第１の使用方法を示す断面図である。
【図５】しっくいスラリーをヘラによって掻き出す状態を示す断面図である。
【図６】しっくい容器の第２の使用方法を示す断面図である。
【図７】しっくいスラリーをヘラによって掻き出す状態を示す断面図である。
【図８】導線を示す図である。
【考案を実施するための形態】
【００２０】
本考案の実施の形態を図面を参照して詳述するが、本考案はこれに限定されるものではない。
【００２１】
図１は、本考案に係る容器（本容器）の一実施形態であるしっくい容器１１の平面図であり、図２はしっくい容器１１の正面図（図１中の矢印Ａ方向から見たところを示している。）であり、そして図３は図１のＢ−Ｂ断面図である。図１乃至図３を参照して、しっくい容器１１について説明する。
しっくい容器１１は、大まかには、底板部２１と、底板部２１の一側縁に取り付けられた一側板３１と、底板部２１の他側縁に取り付けられた他側板４１と、底板部２１の後縁に取り付けられた後板５１と、底板部２１の前縁に取り付けられた前板６１と、一側板３１上縁近傍と他側板４１上縁近傍との間に取り付けられた提げ紐７１と、を備えてなる。なお、ここでは前板６１方向を「前」とし（図中、矢印Ｄｆにて前方向を示す。）、後板５１方向を「後」とし（図中、矢印Ｄｂにて後方向を示す。）、後述の上面２１ｓ１に対し垂直な２方向のうち収容空間８１方向を「上」とし（図中、矢印Ｄｕにて上方向を示す。）、そして上面２１ｓ１に対し垂直な２方向のうち収容空間８１方向とは反対を「下」として（図中、矢印Ｄｄにて下方向を示す。）説明する。
【００２２】
底板部２１は、両主表面のいずれもが同じ長方形をなす一定厚みの平板部材を成形して形成されており、具体的には、該平板部材の一対の短縁２２ａ１、２２ａ２（図１において短縁２２ａ２は、後述の上面２１ｓ２と前板６１一面６２ａとが滑らかに接合されることで、実施には目視できないが、理解を容易にするために、図１には仮想線Ｅ（線分）として表している。）と一対の長縁２２ｂ１、２２ｂ２とを有しており、該一対の短縁２２ａ１、２２ａ２に平行かつ底板部２１の上面２１ｓに存する仮想上の直線Ｃ（特に、図１参照）によって前部２１ａ（直線Ｃと短縁２２ａ２との間の部分）と後部２１ｂ（直線Ｃと短縁２２ａ１との間の部分）とに分割されている。
後部２１ｂは平板状をなし、後部２１ｂの上面２１ｓ１は平面に沿っている。
前部２１ａは、直線Ｃと平行な線分を軸とする直円柱の側面の一部に沿うように成形されており、該直円柱の内部に収容空間８１の一部が含まれており、前部２１ａの上面２１ｓ２は下に向かって凸の形状を有している。
ここに上面２１ｓ１と上面２１ｓ２とは、直線Ｃにおいて滑らかに接合されており、直線Ｃに垂直な平面と上面２１ｓ１とが交わる線（ここでは線分）と、該垂直な平面と上面２１ｓ２とが交わる線（ここでは円弧）と、はいずれの該垂直な平面においても滑らかに連結されている（微分可能であり、換言すれば、上面２１ｓ２と該垂直な平面とが交わる線の直線Ｃにおける接線に、上面２１ｓ１と該垂直な平面とが交わる線が含まれる。）。
【００２３】
後板５１は、両主表面のいずれもが同じ長方形をなす一定厚みの平板部材からなり、具体的には、該両主表面のうちの一面５２ａ（収容空間８１側）がなす該長方形の互いに平行な一対の辺の長さが、底板部２１の短縁２２ａ１と同じ長さとされている。そして、一面５２ａがなす該長方形の互いに平行な該一対の辺と短縁２２ａ１とが略平行になると共に一面５２ａと上面２１ｓ１とが互いに略垂直になるように、一面５２ａと底板部２１の短縁２２ａ１とが取り付けられている。
【００２４】
前板６１は、両主表面のいずれもが同じ長方形をなす一定厚みの平板部材からなり、具体的には、該両主表面のうちの一面６２ａ（収容空間８１側）がなす該長方形の互いに平行な一対の辺の長さが、底板部２１の短縁２２ａ２と同じ長さとされている。そして、一面６２ａがなす該長方形の互いに平行な該一対の辺と短縁２２ａ２とが略平行になると共に一面６２ａが鉛直面に対してなす角Ｇ（図３参照）は１５〜２０度（例えば、１８度）とされている（一面６２ａは、上方に行くにつれて前方に位置するよう傾いている。）。
一面６２ａと上面２１ｓ２とは、仮想線Ｅにおいて滑らかに接合されており、仮想線Ｅに垂直な平面と一面６２ａとが交わる線（ここでは線分）と、該垂直な平面と上面２１ｓ２とが交わる線（ここでは円弧）と、はいずれの該垂直な平面においても滑らかに連結されている（微分可能であり、換言すれば、上面２１ｓ２と該垂直な平面とが交わる線の仮想線Ｅにおける接線に、一面６２ａと該垂直な平面とが交わる線が含まれる。）。
そして、水平面Ｐ１に対して所定角度Ｊ（ここでは約１８度。通常Ｊは１５〜２０度）をなす平面Ｐ２にしっくい容器１１を、平面Ｐ２と平面Ｐ１との交線に後板５１の下縁５４が沿うように載置すると、前板６１の下縁６４が平面Ｐ２に略接する。
【００２５】
一側板３１は、一定厚みの平板部材により形成されており、後板５１の一側の縁部に沿って後縁近傍が取り付けられると共に、前板６１の一側の縁部に沿って前縁近傍が取り付けられている。底板部２１の長縁２２ｂ１は一側板３１の内面３１ａ（収容空間８１側）に、上面２１ｓと内面３１ａとが略垂直になるように取り付けられている。
平面Ｐ２と平面Ｐ１との交線に後板５１の下縁５４が沿うと共に、前板６１の下縁６４が平面Ｐ２に略接するようにしっくい容器１１を平面Ｐ２に載置すると、一側板３１の上縁３２（真っ直ぐな線分に沿っている）は水平面Ｐ１に略平行になる。
また、平面Ｐ２と平面Ｐ１との交線に後板５１の下縁５４が沿うと共に、前板６１の下縁６４が平面Ｐ２に略接するようにしっくい容器１１を平面Ｐ２に載置すると、一側板３１の下縁３３（真っ直ぐな線分に沿っている）は連続して平面Ｐ２に略接する。
【００２６】
他側板４１は、一定厚みの平板部材により形成されており、後板５１の他側の縁部に沿って後縁近傍が取り付けられると共に、前板６１の他側の縁部に沿って前縁近傍が取り付けられている。底板部２１の長縁２２ｂ２は他側板４１の内面４１ａ（収容空間８１側）に、上面２１ｓと内面４１ａとが略垂直になるように取り付けられている。
平面Ｐ２と平面Ｐ１との交線に後板５１の下縁５４が沿うと共に、前板６１の下縁６４が平面Ｐ２に略接するようにしっくい容器１１を平面Ｐ２に載置すると、他側板４１の上縁４２（真っ直ぐな線分に沿っている）は水平面Ｐ１に略平行になる。なお、他側板４１の上縁４２と一側板３１の上縁３２とは、水平面Ｐ１に平行な一平面に連続して接する。
また、平面Ｐ２と平面Ｐ１との交線に後板５１の下縁５４が沿うと共に、前板６１の下縁６４が平面Ｐ２に略接するようにしっくい容器１１を平面Ｐ２に載置すると、他側板４１の下縁４３（真っ直ぐな線分に沿っている）は連続して平面Ｐ２に略接する。
【００２７】
提げ紐７１は、一対の環状部７１ａ、７１ｂと、両端に環状部７１ａ、７１ｂが取り付けられた紐本体７１ｃと、を有してなる。環状部７１ａは、一側板３１上縁３２近傍に形成された取付穴３６を通過することで取り付けられると共に環状部７１ｂは、他側板４１上縁４２近傍に形成された取付穴４６を通過することで取り付けられている。これにより提げ紐７１が取り付けられ、紐本体７１ｃを手で把持してしっくい容器１１を提げることができる。
【００２８】
このように後板５１、前板６１、一側板３１、他側板４１及び底板部２１によって有底無蓋の容器が形成されており、該容器の収容物（ここでは、しっくいスラリー）を収容する収容空間８１は、一面５２ａ、一面６２ａ、内面３１ａ、内面４１ａ及び上面２１ｓ（上面２１ｓ１と上面２１ｓ２とを含んでなる）により規定され形成されている。しっくい容器１１は、その上部に形成された上部開口１５（後板５１上縁、前板６１上縁、一側板３１上縁３２及び他側板４１上縁４２により規定される長方形状の開口）を経て、収容空間８１に収容物を収容したり、収容空間８１に収容された収容物を取り出すことができる。
かかるしっくい容器１１は、しっくい容器１１を傾けることで、収容空間８１に収容された収容物（しっくいスラリー）が溢流し収容空間８１から流出可能な溢流上縁６２ｔ（ここでは一面６２ａの最上の縁部である）を有しており、溢流上縁６２ｔは直線Ｙ（図１参照）に略沿っている。ここでは直線Ｙは、仮想線Ｅ及び直線Ｃに略平行である。
溢流上縁６２ｔが沿っている直線Ｙに対して垂直な平面による上面２１ｓ１の断面形状は、いずれの該垂直な平面に関しても線分（以下、「上面２１ｓ１形状線」という）により示され、該垂直な平面による一面６２ａの断面形状は線分（以下、「一面６２ａ形状線」という）により示され、そして該垂直な平面による上面２１ｓ２の断面形状は円弧（以下、「上面２１ｓ２形状線」という）により示される。いずれの該垂直な平面に関しても、上面２１ｓ１形状線と一面６２ａ形状線とを上面２１ｓ２形状線が連結しているが、上面２１ｓ１形状線と上面２１ｓ２形状線との境位置（直線Ｃ上に存する）において上面２１ｓ１形状線と上面２１ｓ２形状線とは滑らかに連続（該境位置において微分可能）していると共に、上面２１ｓ２形状線と一面６２ａ形状線との境位置（仮想線Ｅ（線分）上に存する）において上面２１ｓ２形状線と一面６２ａ形状線とは滑らかに連続（該境位置において微分可能）している。
【００２９】
次いで、しっくい容器１１の使用方法について説明する。
図４は、しっくい容器１１の第１の使用方法を示す断面図（しっくい容器１１の断面位置は図３に同じ。）である。図４を参照して、しっくい容器１１の第１の使用方法について説明する。しっくい容器１１の収容空間８１にはしっくいスラリー９１が収容されている（しっくい容器１１の上部開口１５を経て、収容空間８１にしっくいスラリー９１を収容する。）。水平面Ｐ１に対して所定角度Ｊ（ここでは約１８度。通常Ｊは１５〜２０度）をなす平らな載置面１０１（前述の平面Ｐ２に沿っている）にしっくい容器１１を載置している。ここでは、平面Ｐ１（水平面）と載置面１０１との交線に後板５１の下縁５４が沿うように載置しており、前板６１の下縁６４が載置面１０１に略接し、一側板３１の下縁３３（図４には現れない）が載置面１０１に連続して略接し、そして他側板４１の下縁４３が載置面１０１に連続して略接している。かかる状態においては、後板５１が鉛直面に略沿うと共に、後部２１ｂの上面２１ｓ１が水平面に略沿っており、収容空間８１にしっくいスラリー９１を収容したしっくい容器１１を、傾斜した載置面１０１に安定して載置できる。
収容空間８１に収容されたしっくいスラリー９１は、しっくい容器１１の上部開口１５を経て、収容空間８１からすくいだす等して使用することができる。
【００３０】
収容空間８１に収容されたしっくいスラリー９１を上部開口１５からすくいだす等して、収容空間８１に収容されたしっくいスラリー９１の量が少なくなった場合には、図５（しっくい容器１１の断面位置は図４に同じ。）に示すように、しっくいスラリー９１をヘラ２０１によって溢流上縁６２ｔからかきだすことができる。詳細には、図５に示す通り、一面５２ａと底板部２１下面２１ｑとによって形成された指掛け部５８（後板５１のうち下面２１ｑよりも下方に突出した部分により形成される。）に指３０１を引っ掛けることで、溢流上縁６２ｔが下部になるようにしっくい容器１１を傾けた状態で支持し（指掛け部５８に指３０１を引っ掛けることに加え、適宜、しっくい容器１１下部を何らかの支持物に当接させたり、紐本体７１ｃを把持する等してもよい。）、溢流上縁６２ｔに向けてヘラ２０１の先端縁２０３を上面２１ｓ及び一面６２ａに摺動させることで、収容空間８１に収容されたしっくいスラリー９１を溢流上縁６２ｔから容易かつ効果的（上面２１ｓ及び一面６２ａに付着して残留するしっくいスラリー９１の量を少なくする）にかき出すことができる。
このヘラ２０１の先端縁２０３を上面２１ｓ及び一面６２ａに摺動させる際、上述の如く、上面２１ｓ１形状線と上面２１ｓ２形状線と一面６２ａ形状線とが、直線Ｙに対して垂直ないずれの平面に関しても滑らかに連続（微分可能）しているので、通常、線分（図５においては、図５に示された断面に対して垂直な線分）に沿った先端縁２０３を、直線Ｙに対して平行に略保った状態で上面２１ｓ及び一面６２ａに摺動させれば、先端縁２０３を上面２１ｓ及び一面６２ａに円滑に摺動させると共に、上面２１ｓ及び一面６２ａへのしっくいスラリー９１の付着残留量を効果的に減少させることができる（先端縁２０３が上面２１ｓ及び一面６２ａとの間に隙間を生じないように、上面２１ｓ及び一面６２ａにぴったり接触した状態で円滑に摺り動かすことができる。）。即ち、残留量を少なくしつつ迅速容易に、収容空間８１に収容されたしっくいスラリー９１を溢流上縁６２ｔからかき出すことができる。
【００３１】
図６は、しっくい容器１１の第２の使用方法を示す断面図（しっくい容器１１の断面位置は図４に同じ。）である。図６を参照して、しっくい容器１１の第２の使用方法について説明する。
図６は、住宅の棟を形成する工事の途中状況を示す断面図（棟の連続方向に対して垂直な平面による断面を示している。）である。図６に示すように、突き合わせた野地板４２２に棟金具４２３を釘（不図示）で固定する。この棟金具４２３に棟垂木４２４を釘（不図示）で固定して、棟垂木４２４を野地板４２２の突き合わせ部分の上方に架設する。その後、瓦４２１を屋根に葺いたところを示している。この後、棟金具４２３をしっくいにて覆うため、しっくいスラリー９１を棟金具４２３に塗布する。
ここでは、このしっくいスラリー９１を棟金具４２３近傍に搬送するためにしっくい容器１１が用いられている。具体的には、図４と同様に、しっくい容器１１の収容空間８１にしっくいスラリー９１を収容し、そのしっくいスラリー９１を収容したしっくい容器１１を棟金具４２３近傍に搬送し、該しっくい容器１１を瓦４２１の上面に載置している。瓦４２１の上面は、水平面に対して所定角度（ここでは約１８度。通常は１５〜２０度）をなす平らな面であり、水平面と瓦４２１上面との交線に後板５１の下縁５４が沿うように載置しており、前板６１の下縁６４も瓦４２１上面に略接し、一側板３１の下縁３３（図６には現れない）が瓦４２１上面に略接し、そして他側板４１の下縁４３が瓦４２１上面に略接している（図示及び理解を容易にするため、図６においては下縁５４、下縁６４及び下縁４３と、瓦４２１上面と、の間を離して図示している。）。かかる状態においては、後板５１が鉛直面に略沿うと共に、後部２１ｂの上面２１ｓ１が水平面に略沿っており、収容空間８１にしっくいスラリー９１を収容したしっくい容器１１を、傾斜した瓦４２１上面に安定して載置することができる。
収容空間８１に収容されたしっくいスラリー９１は、しっくい容器１１の上部開口１５を経て、収容空間８１からすくいだす等して、しっくいスラリー９１を棟金具４２３に塗布することができる。
【００３２】
図６の状態において、収容空間８１に収容されたしっくいスラリー９１を上部開口１５からすくいだす等して使用することで、収容空間８１に収容されたしっくいスラリー９１の量が少なくなった場合には、図７（しっくい容器１１の断面位置は図４に同じ。）に示すように、しっくいスラリー９１をヘラ２０１によって溢流上縁６２ｔからかきだすことができる。詳細には、図５にて説明した通り、指掛け部５８（後板５１のうち下面２１ｑよりも下方に突出した部分により形成される。）に指３０１を引っ掛けることで、溢流上縁６２ｔが下部になるようにしっくい容器１１を傾けた状態で支持し、溢流上縁６２ｔに向けてヘラ２０１の先端縁２０３を上面２１ｓ及び一面６２ａに摺動させることで、収容空間８１に収容されたしっくいスラリー９１を溢流上縁６２ｔから容易かつ効果的にかき出すことができる。
このヘラ２０１の先端縁２０３を上面２１ｓ及び一面６２ａに摺動させる際、上面２１ｓ１形状線と上面２１ｓ２形状線と一面６２ａ形状線とが、直線Ｙに対して垂直ないずれの平面に関しても滑らかに連続（微分可能）しているので、先端縁２０３を上面２１ｓ及び一面６２ａに円滑に摺動させると共に、上面２１ｓ及び一面６２ａへのしっくいスラリー９１の付着残留量を効果的に減少させることができることは上述の通りである。
【００３３】
上面２１ｓ１、上面２１ｓ２及び一面６２ａは、溢流上縁６２ｔが沿った線分（直線Ｙ上に存する）に垂直に交わるいずれの平面による断面においても、図８のような曲線を示す。上面２１ｓ１の断面形状は線分Ｘ１（図８中、２２ａ１からＣまでの部分）となり、上面２１ｓ２の断面形状は円弧Ｘ２（図８中、ＣからＥまでの部分）となり、そして一面６２ａの断面形状は線分Ｘ３（図８中、Ｅから６２ｔまでの部分）となる。これら線分Ｘ１と円弧Ｘ２と線分Ｘ３とによって導線Ｚが形成されており、導線Ｚは一端から他端まで連続して微分可能（滑らか）である。
【００３４】
以上説明の通り、しっくい容器１１は、収容物（ここではしっくいスラリー９１）を収容する有底無蓋の容器であって、収容物（しっくいスラリー９１）を収容する上部（ここでは上部開口１５）が開放された収容空間８１と、収容空間８１の上縁（一側板３１の上縁３２内縁、他側板４１の上縁４２内縁、後板５１の上縁内縁、前板６１の上縁の内縁である溢流上縁６２ｔにより構成される。）の一部を構成し、線分である堰基準線分（ここでは溢流上縁６２ｔが沿った線分）に略沿った堰部（ここでは溢流上縁６２ｔ）と、を備えてなり、堰基準線分（溢流上縁６２ｔが沿った線分）に垂直に交わる平面である導線面（一例としては、図８に示された面）に存在し、一端が堰基準線分（溢流上縁６２ｔが沿った線分）に存する導線Ｚが、導線面に対して垂直に移動することで描かれる柱面に沿って、収容空間８１の底面（ここでは上面２１ｓ１、上面２１ｓ２及び一面６２ａを含んでなる。）の最低位置（ここでは上面２１ｓ１の位置）から堰部（溢流上縁６２ｔ）までが形成されており、底面（上面２１ｓ１、上面２１ｓ２及び一面６２ａ）の最低位置（上面２１ｓ１位置）から堰部（溢流上縁６２ｔ）までを規定する導線Ｚが、該一端（溢流上縁６２ｔ側の端）から該最低位置（上面２１ｓ１位置）を規定する部分に向かって単調降下する単調降下部分によって又は水平である水平部分（ここでは線分Ｘ１）と単調降下部分（ここでは円弧Ｘ２と線分Ｘ３）とによって形成されると共に滑らかなもの（導線Ｚは一端から他端まで連続して微分可能）である、容器である。
【００３５】
しっくい容器１１においては、水平面Ｐ１に対して所定角度Ｊ（ここでは約１８度。通常Ｊは１５〜２０度）をなす平面である載置平面（載置面１０１）に、収容空間８１の上縁（一側板３１の上縁３２内縁、他側板４１の上縁４２内縁、後板５１の上縁内縁、溢流上縁６２ｔ）のうち堰部（溢流上縁６２ｔ）が載置平面（載置面１０１）の高い側（例えば、図４であれば右に行くにつれて載置面１０１は高くなっている）に存するように載置された載置状態（図４では、堰部（溢流上縁６２ｔ）が右端に存する）において、堰基準線分（溢流上縁６２ｔが沿った線分）が略水平になるものである。
しっくい容器１１においては、該載置状態（図４では、堰部（溢流上縁６２ｔ）が右端に存する）において収容空間８１の上縁（一側板３１の上縁３２内縁、他側板４１の上縁４２内縁、後板５１の上縁内縁、溢流上縁６２ｔ）のいずれの部分も堰部（溢流上縁６２ｔ）以上の高さである（ここでは収容空間８１の上縁のうち堰部（溢流上縁６２ｔ）以外の部分は、堰部（溢流上縁６２ｔ）と同じ高さである。）。
【００３６】
しっくい容器１１においては、収容空間８１が、堰基準線分（溢流上縁６２ｔが沿った線分）の一端を含み堰基準線分（溢流上縁６２ｔが沿った線分）に垂直な一方平面に沿った一方壁面（一側板３１の内面３１ａ）と、堰基準線分（溢流上縁６２ｔが沿った線分）の他端を含み堰基準線分（溢流上縁６２ｔが沿った線分）に垂直な他方平面に沿った他方壁面（他側板４１の内面４１ａ）と、の間に形成されるものである。
しっくい容器１１においては、導線Ｚが、下に凸の曲線の部分により形成されるか又は下に凸の曲線の部分（円弧Ｘ２）と線分（線分Ｘ１と線分Ｘ３）とによって形成されるものである。
しっくい容器１１においては、前記曲線の部分が円弧（円弧Ｘ２）である。
しっくい容器１１においては、導線Ｚが、前記最低位置（上面２１ｓ１位置）を通過する線分である下部線分部分（線分Ｘ１）と、下部線分部分（線分Ｘ１）の堰部（溢流上縁６２ｔ）に近い端部（ここでは直線Ｃ側の端部）に一端が連なる前記曲線の部分（円弧Ｘ２）と、を含んでなるものである。
しっくい容器１１においては、導線Ｚが、前記曲線の部分（円弧Ｘ２）の他端（仮想線Ｅ（線分）側の端）に一端が連なり、他端が堰基準線分（溢流上縁６２ｔが沿った線分）に存する上部線分部分（線分Ｘ３）を含んでなるものである。
【００３７】
しっくい容器１１においては、収容空間８１の底面（上面２１ｓ１、上面２１ｓ２及び一面６２ａ）を上面によって構成する底板（ここでは底板部２１と、前板６１の収容空間８１に面する部分と、を含んでなる。）と、前記容器（しっくい容器１１）の堰部（溢流上縁６２ｔ）とは反対側において底板（底板部２１と、前板６１の収容空間８１に面する部分）よりも下方に突出し、指３０１先を係合可能な指掛け部５８と、を有するものである。
しっくい容器１１においては、内面（一面５２ａ）に底板（底板部２１と、前板６１の収容空間８１に面する部分）の一縁（短縁２２ａ１）が取り付けられ、該内面（一面５２ａ）が収容空間８１を規定する後方板状部材（ここでは後板５１）を有してなり、指掛け部５８が、底板（底板部２１と、前板６１の収容空間８１に面する部分）の下面２１ｑよりも下方に存する後方板状部材（後板５１）の部分により構成されるものである。
しっくい容器１１においては、内面（内面３１ａ、内面４１ａ）に底板（底板部２１と、前板６１の収容空間８１に面する部分）の縁部（長縁２２ｂ１、２２ｂ２と、前板６１の一対の縁部）が取り付けられ、互いの内面（内面３１ａ、内面４１ａ）の間に収容空間８１が形成される一対の第１板状部材（一側板３１）及び第２板状部材（他側板４１）を有してなり、第１板状部材（一側板３１）の下縁３３及び第２板状部材（他側板４１）の下縁４３が、水平面Ｐ１に対して所定角度Ｊ（ここでは約１８度。通常Ｊは１５〜２０度）をなす平面である載置平面（載置面１０１）に当接するものである。
しっくい容器１１においては、互いの内面（一面５２ａ、一面６２ａ）の間に収容空間８１が形成される一対の第３板状部材（後板５１）及び第４板状部材（前板６１）を有してなり、第１板状部材（一側板３１）、第２板状部材（他側板４１）、第３板状部材（後板５１）、第４板状部材（前板６１）及び底板（底板部２１と、前板６１の収容空間８１に面する部分）により、前記有底無蓋の容器が形成され、第３板状部材（後板５１）の下縁５４及び第４板状部材（前板６１）の下縁６４が、載置平面（載置面１０１）に当接するものである。
【符号の説明】
【００３８】
１１                しっくい容器
１５                上部開口
２１                底板部
２１ａ              前部
２１ｂ              後部
２１ｑ              下面
２１ｓ、２１ｓ１、２１ｓ２  上面
２２ａ１、２２ａ２  短縁
２２ｂ１、２２ｂ２  長縁
３１                一側板
３１ａ              内面
３２                上縁
３３                下縁
３６                取付穴
４１                他側板
４１ａ              内面
４２                上縁
４３                下縁
４６                取付穴
５１                後板
５２ａ              一面
５４                下縁
５８                指掛け部
６１                前板
６２ａ              一面
６２ｔ              溢流上縁
６４                下縁
７１                提げ紐
７１ａ、７１ｂ      環状部
７１ｃ              紐本体
８１                収容空間
９１                しっくいスラリー
１０１                載置面
２０１                ヘラ
２０３                先端縁
３０１                指
４２１                瓦
４２２                野地板
４２３                棟金具
４２４                棟垂木
【図１】
0003207672.tif 000003
【図２】
0003207672.tif 000004
【図３】
0003207672.tif 000005
【図４】
0003207672.tif 000006
【図５】
0003207672.tif 000007
【図６】
0003207672.tif 000008
【図７】
0003207672.tif 000009
【図８】
0003207672.tif 000010